(57)【要約】【課題】取り付けやすく、確実にドアを開放する。【解決手段】本体１６は、壁１０にアンカーボルト２４ａで固定されている。本体１６の背面板１６ａには、雌ねじ部１８が設けられ、ここに雄ねじ部２０が進退自在に螺合されている。雄ねじ部２０の先端には、押圧板２０が揺動自在に取り付けられている。従って、雄ねじ部２０を回転してドア１４側に移動させることによって、ドア１４を大きな力で押して、ドア１４を開放することができる。【選択図】図１
2005200969.tif 000002
【特許請求の範囲】
【請求項１】
ドア枠部に取り付けられ、ドアを押し開くドア開放装置であって、
２側がドア枠の角部に内側方向から固定される本体と、
本体の裏面に設けられ、裏面に直角な方向に伸びる雌ねじ部と、
この雌ねじ部に進退自在に螺合された雄ねじ部と、
この雄ねじ部の先端に揺動回転移動自在に枢支された押圧板と、
を有し、
前記雄ねじ部を回転させることで、雄ねじ部を前面側に移動させ、前記押圧板によって、ドアを押すことで、ドアを押し開くことを特徴とするドア開放装置。
【請求項２】
前記本体は、前面が開放され、２側がドア枠の角部に内側から固定される箱状であることを特徴とするドア開放装置。
【請求項３】
請求項１または２に記載の装置において、
前記ドアの前記押圧板が押し付けられる部分に取り付けられる補強受け板をさらに有することを特徴とするドア開放装置。
【請求項４】
請求項１〜３のいずれか１つに記載の装置において、
前記本体の２側は、前記ドア枠部にアンカーボルトで固定されていることを特徴とするドア開放装置。
【請求項５】
請求項１〜４のいずれか１つに記載の装置において、
前記本体の２側は、前記ドア枠部に溶接で固定されていることを特徴とするドア開放装置。
【請求項６】
請求項１〜５のいずれか１つに記載の装置において、
前記雄ねじは、ねじ山の先端部に平坦部を有する角ねじであり、前記雌ねじ部は雄ねじ部に対応してねじ溝に平坦部を有する角ねじであることを特徴とするドア開放装置。
【発明の詳細な説明】
【技術分野】
【０００１】
本発明は、地震などによりドアが開かなくなった場合に、ドアを強制的に開放させるドア開放装置に関する。
【背景技術】
【０００２】
大地震などにより、ドア枠などが歪んだ場合、ドアが開かなくなってしまう場合が考えられる。そこで、従来より、ドア枠を歪みにくくしたり、歪んだ場合においても比較的小さな力でドアを開放させることができる耐震ドアが提案されている。
【０００３】
例えば、特許文献１、２では、ドア枠の水平方向および垂直方向の両方の辺の所定位置にローラスライド用のスライドベース板を取り付けておき、これに対応するドアの端部にローラを取り付け、これによってドア枠が歪んだ場合においてもドアの開放が容易になるようにしている。
【０００４】
【特許文献１】特開平１０−０８２２５２号公報
【特許文献２】特開平１１−２１０３４０号公報
【発明の開示】
【発明が解決しようとする課題】
【０００５】
しかし、上記従来例では、ドア枠の内側にスライドベースを取り付けなければならない。従って、ドアとドア枠との間に、このスライドベースを取り付けるだけの隙間がなければならず、利用できない場合があった。また、ローラとスライドベースの角度が悪いと、ローラの機能を十分利用することができず、ドア開放がうまくいかないという問題もあった。
【課題を解決するための手段】
【０００６】
本発明は、ドア枠部に取り付けられ、ドアを押し開くドア開放装置であって、２側がドア枠の角部に内側方向から固定される本体と、本体の裏面に設けられ、裏面に直角な方向に伸びる雌ねじ部と、この雌ねじ部に進退自在に螺合された雄ねじ部と、この雄ねじ部の先端に揺動回転移動自在に枢支された押圧板と、を有し、前記雄ねじ部を回転させることで、雄ねじ部を前面側に移動させ、前記押圧板によって、ドアを押すことで、ドアを押し開くことを特徴とする。
【０００７】
また、前記本体は、前面が開放され、２側がドア枠の角部に内側から固定される箱状であることが好適である。
【０００８】
また、前記ドアの前記押圧板が押し付けられる部分に取り付けられる補強受け板をさらに有することが好適である。
【０００９】
また、前記本体の２側は、前記ドア枠部にアンカーボルトで固定されていることが好適である。
【００１０】
また、前記本体の２側は、前記ドア枠部に溶接で固定されていることが好適である。
【００１１】
また、前記雄ねじは、ねじ山の先端部に平坦部を有する角ねじであり、前記雌ねじ部は雄ねじ部に対応してねじ溝に平坦部を有する角ねじであることが好適である。
【発明の効果】
【００１２】
このように、本発明では、ドア枠に取り付けられた本体に取り付けられた雄ねじを回転させることで、大きな力でドアを押すことができる。このため、地震などで、ドアが開かなくなった場合においても、ドアを確実に開放することができる。特に、ドアの内側のドア枠に本体を取り付ける構成であり、ドアとドア枠の隙間には、何ら部材を挿入する必要がなく、ドアおよびドア枠自体は通常のものを利用できる。また、雄ねじの先端に揺動自在の押圧板を設けたため、ドアを確実に押圧することができる。
【００１３】
さらに、ドア側に補強板を取り付けることで、ドアの押圧部分のみが壊れることを防止できる。
【００１４】
また、本体は、アンカーボルトや溶接によってドア枠に固定することで、大きな力が加わっても、ドア枠から本体が外れてしまうことを防止できる。さらに、雄ねじを角ねじにすることによって、雄ねじの強度を十分大きなものにできる。
【発明を実施するための最良の形態】
【００１５】
以下、本発明の実施形態について、図面に基づいて説明する。
【００１６】
図１は、本実施形態に係るドア開放装置の取り付け状態を示す要部断面図、図２は背面側から見た図である。
【００１７】
モルタルおよびコンクリート製の壁１０のドア開口部の側面には、これを内面側から覆ってスチール板製のドア枠１２が設けられている。図１から分かるように、ドア枠１２は、ドア１４側（室外側）広く、ドア１４から遠い室内側が狭くなっており、その段差部１２ａにおいて、ドア１４周辺部を受けるようになっている。
【００１８】
ドア開放装置の本体１６は、ドア１４の右上端部に対応するドア枠１２の角隅部に取り付けられる。本体１６は、ほぼ扇状の背面板１６ａと、ドア枠１２の室内側部分に固着される２つの側面部１６ｂと、他の一辺である内側側面部１６ｃから構成され、全体として、前方（ドア１４側）が開放された箱状となっている。
【００１９】
そして、本体の背面板１６ａの中央部分にはドア１４とは反対側（室内側）に向けて雌ねじ部１８が突出しており、この雌ねじ部１８に雄ねじ部２０が螺合されている。従って、雄ねじ部２０を回転することで雄ねじ部２０が本体１６の前後方向に進退する。
【００２０】
雄ねじ部２０の室内側の先端には、工具（レンチ）を係合させて雄ねじ部２０を回転できるように、六角径のねじ頭部２０ａが形成されている。この例では、ねじ頭部２０ａが雄ねじ部２０より小さな径にしてあるが、大きな径にしてもよい。雄ねじ部２０のドア側の端部は、一旦細い首部を経て球状先端部２０ｂが形成されている。この球状先端部２０ｂには、これを収容する球面部を有する押圧板２２が取り付けられている。すなわち、押圧板２２は、雄ねじ部の先端に球面継ぎ手により揺動回転移動自在に枢支されている。なお、押圧板２２のドア側は平面になっている。
【００２１】
本体１６の２つの側面部１６ｂには、それぞれ貫通孔が設けられており、ここにコンクリート・モルタル用のアンカーボルト２４ａが打ち込まれ、本体１６がドア枠１２および壁１０に２カ所で強固に固定されている。なお、アンカーボルト２４ａは、壁１０内に打ち込まれるスリーブ２４ｂに固定される。
【００２２】
ドア１４の押圧板２２に対向する位置には、補強用の四角形状の受け板２６が取り付けられている。この受け板２６のドア１４の反対側の位置には、同一形状の受け板２８が配置され、両受け板２６、２８が皿ねじ３０ａと、ナット３０ｂによって固定されている。室内側の受け板２６に皿ねじ３０ａの頭が位置するようになっているため、室内側の受け板２６はその表面がほぼ平らになっている。また、室外側の受け板２８およびナット３０ｂを覆って、樹脂製の化粧カバー３２が取り付けられており、室外側の美観を保っている。また、受け板２６、２８の間には、両者の間隔を維持するためのスペーサパイプ３４が配置されている。なお、図においては、皿ねじ３０を２本利用した受け板２６を固定したが、４本利用したり、接着剤で固定するなど他の方法でも構わない。
【００２３】
なお、本体１６、雄ねじ２０、押圧板２２、受け板２６などは、ステンレス製としているが、強度があり、変質しにくい材質であれば、他の金属や合金等も採用できる。
【００２４】
このようなドア開放装置において、雄ねじ２０を回転させることで、雄ねじ２０を受け板２６に押し付けることができる。雄ねじ２０の先端の押圧板２２は、雄ねじ２０に対し揺動回転移動自在であり、従って受け板２６に全面で接触保持される。そして、雄ねじ２０をさらに回転することによって、雄ねじ２０による押圧力が押圧板２２、受け板２６を介しドア１４に作用し、ドア１４が外側に向けて開く。
【００２５】
雄ねじ２０の回転力をドア１４に対する押圧力とするため、比較的小さなねじの回転力によってもその押圧力は非常に強力であり、地震によってドア枠１２が歪みドア１４が開放できなくなった場合においても、そのドア１４を容易に開放することができる。
【００２６】
図３には、他の実施形態の構成が示されており、この例では、本体１６のドア枠１２との接合に溶接を利用している。すなわち、本体１６の室内側からみて、右下端部と、上左端部をドア枠１２に溶接する。この溶接は、本体１６の厚み方向全体に渡って行う。これによって、図における溶接部４０が形成される。このように、溶接を行うことによって、本体１６をさらに強固にドア枠１２に固定することができる。なお、溶接で十分な強度が得られれば、アンカーボルト２４ａは省略することも可能である。
【００２７】
特に、ドア枠から新規に作製する場合に、工場において、本体を溶接しておくのが好適である。一方、溶接を行わないアンカーボルトのみのものは、既設のドア、ドア枠へも比較的容易に取り付けが行える。
【００２８】
また、本体１６を板状として、２側をドア枠１２内に挿入して固定してもよい。これによって、アンカーボルトなどを省略できる。なお、ドア枠１２側で本体１６を十分支えられるだけの強度があるように、適当な大きさだけ本体１６をドア枠１２側に挿入する必要がある。特に、新規の取り付けの場合には、本体１６の一部をコンクリート内に配置することが好適であり、コンクリート内に予め本体１６の受け用の部材（凹部）を形成しておいてもよい。
【００２９】
さらに、本体１６のドア枠１２に固定される側のみ、側面部１６ｂを形成しておき、内側の辺の側面部１６ｂは省略してもよい。
【００３０】
また、本体１６に背面板１６ａに対向する前面板を設け、ここに雄ねじ２０と螺合する雌ねじを設けてもよい。この場合、アンカーボルト２４ａを操作するために、側面部１６ｂの対応する部分は開放しておく必要がある。
【００３１】
図４には、雄ねじ部２０の構成例が示してある。このように、雄ねじ部２０は、そのねじ山が先端に平面部がある、断面四角形状の角ねじとなっている。このような角ねじを用いることによって、ねじの進退方向の強度を高めることができ、押圧力をより大きなものにできる。この例では、直径１２m/m、溝幅２m/m、山幅１．５m/mとしている。
【００３２】
図５は、雄ねじ部２０を回転させるための治具としてのレンチの構成を示す図である。図における左端には、多角形状の穴からなる、ねじ頭部２０ａが嵌合される係合部５０ａが形成され、そこから図における右方向に棒状の把持部５０ｂが伸びている。このような治具を用いることで、雄ねじ部２０を容易に回転できる。この治具は、ドア近くにいつでも取り出せるように固定しておくことが好適である。なお、図５の例は、汎用的構造のレンチであるが、専用の形にしておくことによって、他の用途に利用できないため、いざというときに収容場所にないという状態の発生を防止できる。さらに、水道の蛇口用の取っ手のような形状のものを常時取り付けておくこともできる。
【００３３】
なお、雄ねじ部は、ドアの上部に設けられており、スペース的な問題および操作する人の高さの問題などで、レンチを３６０度回転させるのは難しい場合も多い。そこで、レンチは、ねじを押し出す方向にのみ力を伝達し、反対方向は滑る構成が好ましい。これによって、レンチを所定角度内で往復動作させることで、雄ねじ部２０を移動させることができる。
【００３４】
図６は、ドアノブおよびドアロック解除のための治具を示している。図における左側の環状部６０が丸形状のドアノブにその周りから係合する部分であって、内側は凸凹が波状に形成されている。この環状部６０の図における左端部分は、環状部分を連結する連結部６２であって、環状部６０はこの連結部６２を境に、上腕部６０ａと、下腕部６０ｂに分割されており、１面内において、これら上腕部６０ａと、下腕部６０ｂが連結部を軸に揺動自在になっている。なお、連結部６２は、通常のヒンジで形成してもよい。そして、上腕部６０ａ、下腕部６０ｂ他端は、環状部６０から右方向に少し伸びた部分においてボルト穴が設けられて終端している。一方下腕部６０ｂは、環状部６０から右方向に少し伸びた部分において貫通穴が設けられた後さらに右方向に伸びている。そして、下腕部６０ｂの貫通穴を通過して、上腕部６０ａに螺合されるねじ６４が設けられ、このねじ６４によって環状部６０の端部を押し付け固定できる。従って、環状部６０の直径を大きくした状態で、ドアノブを環状部６０内に押し入れ、その後ねじ６４を締めることによって、ドアノブに治具を強固に固定でき、これによって、ドアノブを確実に回転できる。
【００３５】
さらに、この治具の右端には、円盤６６が取り付けられ、この円盤６６からの対向する一対の脚部６８ａ、６８ｂが伸びる構造となっており、一対の脚部６８ａ、６８ｂの端部の中間部には切り欠きが設けられている。従って、この切り欠きまたは脚部６８ａ、６８ｂをドアノブのロック操作片に係合させ、環状部６０などを持って回転させることで、ロック操作片を十分大きな力で、回すことができる。
【００３６】
このような治具を備えることによって、地震でドアノブが回らなくなったり、ロックを解除できなくなったときに、この治具を用いて、確実にこれらの解除ができる。この治具についてもドア近くに上述の治具と一緒に収納しておくことが好適である。
【００３７】
図７〜図９には、すべり用のコロ部材をドアの開放端側下方に設けた例を示してある。上述のように、本装置によって、ドア１４を強力に押すことで、ドア１４を開放することができる。しかし、ドア枠１２が歪んだりした場合、ドア１４の下端がドア枠１２に押し付けられ、ドア１４が開きにくくなることが考えられる。
【００３８】
コロ部材は、図７に示すように、ドア枠１２のドア開放端側の下部角部に設けられる。箱体７０は、図８に示すように、上方開放の四角箱状であり、その中には、ボール７４が多数収容されている。そして、箱体７０の上方はフタ７２によってフタされている。このフタ７２は、図９に示すように、板の両側部（２辺）が折り曲げられており、図７に示すように、この折り曲げれた部分で、箱体７０に固定されている。なお、フタ７２には、十分な固定ができ、かつつぶれないようにハガネ（鋼）などで形成されている。また、箱体７０の深さは、３ｍｍ程度、ボールの直径４ｍｍ程度であり、箱体７０の上端から若干飛び出し、フタ７２は、ボール７４に支持されている。
【００３９】
図７に示すように、フタ７２の折り曲げ部は、ドア１４の開放方向に沿っており、ドア１４の下端が押し付けられて開放されると、フタ７２がボール７４に支持されてすべり、ドア１４の開放を助ける。
【００４０】
なお、ドア１４とドア枠１２の間には、６ｍｍ程度の間隙が形成されており、通常時はコロ部材は、何ら機能しないので問題はない。
【００４１】
なお、ボール７４は、十分回転できるように、ある程度スペースに余裕を持って、収容される。また、箱体７０に収容するものは、必ずしもボールである必要はなく、円柱状のコロでもよい。
【図面の簡単な説明】
【００４２】
【図１】実施形態の装置の断面構造を示す図である。
【図２】実施形態の装置の室内側からみた図である。
【図３】他の実施形態の装置の室内側からみた図である
【図４】雄ねじの構成を示す図である。
【図５】治具の構成を示す図である。
【図６】治具の構成を示す図である。
【図７】コロ部材設置した状態を示す図である。
【図８】コロ部材の箱体およびボールの構成を示す図である。
【図９】コロ部材のフタの構成を示す図である。
【符号の説明】
【００４３】
１０  壁、１２  ドア枠、１２ａ  段差部、１４  ドア、１６  本体、１６ａ  背面板、１６ｂ  側面部、１６ｃ  内側側面部、１８  雌ねじ部、２０  雄ねじ部、２０ａ  頭部、２０ｂ  球状先端部、２２  押圧板、２４ａ  アンカーボルト、２４ｂ  スリーブ、２６，２８  受け板、３０ａ  皿ねじ、３０ｂ  ナット、３２  化粧カバー、３４  スペーサパイプ、４０  溶接部、５０ａ  係合部、５０ｂ  把持部、６０  環状部、６０ａ  上腕部、６０ｂ  下腕部、６２  連結部、６６  円盤、６８ａ  脚部。
【図１】
2005200969.tif 000003
【図２】
2005200969.tif 000004
【図３】
2005200969.tif 000005
【図４】
2005200969.tif 000006
【図５】
2005200969.tif 000007
【図６】
2005200969.tif 000008
【図７】
2005200969.tif 000009
【図８】
2005200969.tif 000010
【図９】
2005200969.tif 000011